(57)【要約】【課題】テーパー面の嵌合によってメス部材とオス部材を接続する場合に固定部材の有無に対応できるようにするとともに、オス部材とメス部材との分離作業時に固着を容易に解くことができるようにする。【解決手段】メス部材１０のテーパー面１３にオス部材２０のテーパー面２３を挿入することでメス部材１０とオス部材２０とを接続することができる。メス部材１０の雄ねじ部１４と固定部材３０の雌ねじ部３１が非螺合状態にあるときに固定部材３０の中心線方向への移動が許容されて固定部材３０とオス部材２０との係脱が切り替えられる。固定部材３０を第２管状部材２００側へ移動させてオス部材２０から外すことができる。【選択図】図５
2015146868.tif 000002
【特許請求の範囲】
【請求項１】
第１管状部材と第２管状部材とを接続する際に使用される医療用接続具において、
上記第１管状部材の端部が接続される筒状のメス部材と、
上記第２管状部材の端部が接続され、上記メス部材に挿入されて該メス部材の内部に連通する筒状のオス部材と、
上記オス部材が挿入されるリング状に形成され、上記オス部材が上記メス部材に挿入された状態で上記オス部材が上記メス部材から抜けるのを阻止するための固定部材とを備え、
上記メス部材の内周面にはメス側テーパー面が設けられ、
上記オス部材の外周面には上記メス側テーパー面に嵌合するオス側テーパー面が設けられ、
上記メス部材の外周面には、雄ねじ部が設けられ、
上記オス部材の外周面には、オス側第１係合部と、上記オス側第１係合部よりも上記メス部材への挿入方向先端側に位置するオス側第２係合部とが設けられ、
上記固定部材の内周面には、上記雄ねじ部に螺合する雌ねじ部と、上記オス側第１係合部に対して上記オス部材の周方向に係合する固定部材側第１係合部と、上記オス側第２係合部に対して上記メス部材への挿入方向から係合する固定部材側第２係合部とが設けられ、
上記雄ねじ部と上記雌ねじ部が非螺合状態にあるときに、上記固定部材の中心線方向への移動が許容されて上記オス側第１係合部と上記固定部材側第１係合部との係脱が切り替えられ、
所定の操作によって上記固定部材が上記第２管状部材側へ移動して上記オス部材から外れるように構成されていることを特徴とする医療用接続具。
【請求項２】
請求項１に記載の医療用接続具において、
上記オス側第１係合部は、上記オス部材の外周面の周方向の一部から突出しており、
上記固定部材側第１係合部は、上記固定部材の内周面から突出していることを特徴とする医療用接続具。
【請求項３】
請求項１または２に記載の医療用接続具において、
上記オス部材及び上記固定部材は樹脂成形品であり、
上記オス部材の外周面には、第１突部が形成され、
上記固定部材の内周面には、上記第１突部に係合する第２突部が形成され、
上記固定部材を上記オス部材の中心線方向に移動させる移動力が所定以上のときに上記第１突部及び上記第２突部が弾性変形することによって上記第２突部が上記第１突部を乗り越えるように構成されていることを特徴とする医療用接続具。
【請求項４】
請求項１から３のいずれか１つに記載の医療用接続具において、
上記固定部材には、上記オス部材に対して周方向から係合して上記固定部材の回転力を上記オス部材に伝える周方向係合部が設けられていることを特徴とする医療用接続具。
【発明の詳細な説明】
【技術分野】
【０００１】
本発明は、例えば医療現場において輸液チューブ等を接続する際に使用される医療用接続具に関するものである。
【背景技術】
【０００２】
従来より、医療現場においては輸液治療等を行う際に穿刺針やチューブ等の管状部材を接続する場合があり、このときに例えば特許文献１に開示されているような接続具が使用されることがある。特許文献１には一方のチューブの端部に接続される筒状のメス部材が開示されている。このメス部材には、他方のチューブの端部に接続される筒状のオス部材が挿入されるようになっている。
【０００３】
すなわち、メス部材の内周面はテーパー形状とされている。また、このメス部材の外周面の端部にはネジ山が形成されている。一方、オス部材の外周面はメス部材の内周面に嵌合するようにテーパー形状とされている。オス部材をメス部材に挿入することによってオス部材とメス部材とが液密に接続され、この接続状態でリング状の固定部材にオス部材を挿通し、固定部材の内周面に形成されたネジ溝にメス部材のネジ山を螺合させて固定部材によってオス部材をメス部材に固定しておくことができる。
【先行技術文献】
【特許文献】
【０００４】
【特許文献１】特開２０００−２４５８５１号公報
【発明の概要】
【発明が解決しようとする課題】
【０００５】
ところで、特許文献１に開示されているような接続具の医療現場での使用場面を想定すると、オス部材をメス部材の内周面に嵌合させ、かつ、固定部材を螺合させたロック状態で使用する場合の他、例えば乳幼児等に対しては固定部材が邪魔になるためオス部材をメス部材の内周面に嵌合させた状態で固定部材を螺合させないで使用することがある。
【０００６】
また、治療内容や医療従事者の手技内容によれば、例えば初めは固定部材を用いることなくオス部材をメス部材の内周面に嵌合させただけにしておき、その後、固定部材が必要になって固定部材を螺合させなければならない場合もある。
【０００７】
さらに、例えば使用後にはオス部材をメス部材から抜く分離作業が必要になる。この分離作業時に、メス部材の内周面がテーパー形状であるためオス部材の外周面に固着していて抜けにくくなっていることがあり、この固着を容易に解くことができるようにして作業性を良好にしたいという要求がある。
【０００８】
本発明は、かかる点に鑑みてなされたものであり、その目的とするところは、テーパー面の嵌合によってメス部材とオス部材を接続する構成を前提として、固定部材の有無に対応できるようにするとともに、オス部材とメス部材との分離作業時に固着を容易に解くことができるようにすることにある。
【課題を解決するための手段】
【０００９】
上記目的を達成するために、本発明では、固定部材をメス部材に螺合させない状態でオス部材に係合させて固定部材によってオス部材に回転力を与えてオス部材とメス部材との固着を解きやすくし、さらに、所定の操作によって固定部材をオス部材から外すこともできるようにして固定部材の有無に対応できるようにした。
【００１０】
第１の発明は、
第１管状部材と第２管状部材とを接続する際に使用される医療用接続具において、
上記第１管状部材の端部が接続される筒状のメス部材と、
上記第２管状部材の端部が接続され、上記メス部材に挿入されて該メス部材の内部に連通する筒状のオス部材と、
上記オス部材が挿入されるリング状に形成され、上記オス部材が上記メス部材に挿入された状態で上記オス部材が上記メス部材から抜けるのを阻止するための固定部材とを備え、
上記メス部材の内周面にはメス側テーパー面が設けられ、
上記オス部材の外周面には上記メス側テーパー面に嵌合するオス側テーパー面が設けられ、
上記メス部材の外周面には、雄ねじ部が設けられ、
上記オス部材の外周面には、オス側第１係合部と、上記オス側第１係合部よりも上記メス部材への挿入方向先端側に位置するオス側第２係合部とが設けられ、
上記固定部材の内周面には、上記雄ねじ部に螺合する雌ねじ部と、上記オス側第１係合部に対して上記オス部材の周方向に係合する固定部材側第１係合部と、上記オス側第２係合部に対して上記メス部材への挿入方向から係合する固定部材側第２係合部とが設けられ、
上記雄ねじ部と上記雌ねじ部が非螺合状態にあるときに、上記固定部材の中心線方向への移動が許容されて上記オス側第１係合部と上記固定部材側第１係合部との係脱が切り替えられ、
所定の操作によって上記固定部材が上記第２管状部材側へ移動して上記オス部材から外れるように構成されていることを特徴とする。
【００１１】
この構成によれば、オス部材をメス部材に挿入することでオス側テーパー面とメス側テーパー面との嵌合によってメス部材とオス部材が接続される。このとき、固定部材の雌ねじ部をメス部材の雄ねじ部に螺合させると、固定部材がオス部材の挿入方向に移動していき、固定部材側第２係合部がオス側第２係合部に係合して固定部材の推進力がオス部材に伝達され、オス部材がメス部材への挿入方向へ押されて固定部材によってメス部材に固定される。これにより、ロック状態で使用することが可能になる。
【００１２】
一方、オス部材とメス部材との分離作業時には、雄ねじ部と雌ねじ部とが非螺合状態となるように固定部材を回転させると固定部材の中心線方向への移動が許容される。この固定部材を、固定部材側第１係合部がオス側第１係合部に係合するまで移動させると、固定部材側第１係合部とオス側第１係合部とをオス部材の周方向に係合させることが可能になる。そして、固定部材に回転力を与えるとオス側第１係合部を介してオス部材に回転力が伝達され、このときメス部材を固定しておくことでオス部材が相対的に回転し、これにより、テーパー面の固着を容易に解くことが可能になる。
【００１３】
また、雄ねじ部と雌ねじ部が非螺合状態にあるときには固定部材の中心線方向への移動が許容されるので、固定部材によるロックをしない状態で使用することも可能である。
【００１４】
さらに、所定の操作によって固定部材を第２管状部材側へ移動させてオス部材から外すことが可能になるので、固定部材の有無に容易に対応することが可能である。
【００１５】
第２の発明は、第１の発明において、
上記オス側第１係合部は、上記オス部材の外周面の周方向の一部から突出しており、
上記固定部材側第１係合部は、上記固定部材の内周面から突出していることを特徴とする。
【００１６】
この構成によれば、固定部材側第１係合部がオス側第１係合部に対してオス部材の周方向に確実に係合するようになるので、固定部材の回転力がオス部材に確実に伝達する。
【００１７】
第３の発明は、第１または２の発明において、
上記オス部材及び上記固定部材は樹脂成形品であり、
上記オス部材の外周面には、第１突部が形成され、
上記固定部材の内周面には、上記第１突部に係合する第２突部が形成され、
上記固定部材を上記オス部材の中心線方向に移動させる移動力が所定以上のときに上記第１突部及び上記第２突部が弾性変形することによって上記第２突部が上記第１突部を乗り越えるように構成されていることを特徴とする。
【００１８】
この構成によれば、固定部材を第２管状部材側へ移動させてオス部材から外す際に行う所定の操作として、固定部材をオス部材の中心線方向に所定以上の移動力で移動させる操作を行うことで、固定部材の第２突部がオス部材の第１突部を乗り越えるので、固定部材をオス部材から容易に外すことが可能になる。
【００１９】
第４の発明は、第１から３のいずれか１つの発明において、
上記固定部材には、上記オス部材に対して周方向から係合する周方向係合部が設けられていることを特徴とする。
【００２０】
この構成によれば、オス部材とメス部材との分離作業時に、固定部材の周方向係合部をオス部材に係合させることで、固定部材に与えた回転力がオス部材に確実に伝わってオス部材をメス部材に対して回転させることが可能になる。これにより、テーパー面の固着を容易に解くことが可能になる。
【発明の効果】
【００２１】
第１の発明によれば、テーパー面の嵌合によってメス部材とオス部材を接続することができるので固定部材を用いなくても液密性を確保でき、このときに固定部材を用いてロック状態で使用することもできる。また、所定の操作によって固定部材をオス部材から外すことができるので、固定部材の有無に容易に対応することができる。そして、オス部材とメス部材との分離作業時には、雄ねじ部と雌ねじ部とを非螺合状態にして固定部材の固定部材側第１係合部をオス側第１係合部に係合させて固定部材に回転力を与えることにより、テーパー面の固着を容易に解くことができる。
【００２２】
第２の発明によれば、オス側第１係合部がオス部材の外周面の周方向の一部から突出し、固定部材側第１係合部が固定部材の内周面から突出しているので、固定部材側第１係合部をオス側第１係合部に確実に係合させて固定部材の回転力をオス部材に確実に伝達することができる。これにより、オス部材とメス部材との分離作業時に固着をより一層容易に解くことができる。
【００２３】
第３の発明によれば、固定部材をオス部材の中心線方向に移動させる移動力が所定以上のときにオス部材の第１突部及び固定部材の第２突部が弾性変形して第２突部が第１突部を乗り越えるようになっているので、固定部材をオス部材から容易に外すことができ、操作性を向上させることができる。
【００２４】
第４の発明によれば、オス部材に対して周方向から係合する周方向係合部を固定部材に設けたので、テーパー面の固着を容易に解くことができる。
【図面の簡単な説明】
【００２５】
【図１】本発明の実施形態１に係り、ロック状態にある医療用接続具の側面図である。
【図２】ロック状態にある医療用接続具の断面図である。
【図３】オス部材の側面図である。
【図４】図３におけるIV−IV線断面図である。
【図５】医療用接続具の斜視図であり、（ａ）は固定部材が非螺合状態にある場合を示し、（ｂ）は固定部材がオス部材に係合した状態を示す。
【図６】固定部材を第２管状部材側から見た端面図である。
【図７】図６のVII−VII線断面図である。
【図８】オス部材と固定部材の側面図であり、（ａ）は固定部材を使用する場合を示し、（ｂ）は固定部材を使用しない場合を示す。
【図９】固定部材を使用しない場合の図２相当図である。
【図１０】固定部材を使用しない場合の図１相当図である。
【図１１】固定部材が非ロック状態にある場合の図２相当図である。
【図１２】固定部材が非ロック状態にある場合の図１相当図である。
【図１３】固定部材がメス部材に係合した状態の図２相当図である。
【図１４】オス部材とメス部材とを分離した状態の図１相当図である。
【図１５】本発明の実施形態２に係るオス部材の側面図である。
【図１６】本発明の実施形態２に係る固定部材を先端側から見た斜視図である。
【発明を実施するための形態】
【００２６】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２７】
（実施形態１）
図１は、本発明の実施形態１に係る医療用接続具１の側面図である。医療用接続具１は、医療現場において例えば輸液チューブや穿刺針等からなる第１管状部材１００と第２管状部材２００とを接続する際に使用されるものである。第１管状部材１００と第２管状部材２００とは、例えば柔軟性のある樹脂材で構成することができる。
【００２８】
図２にも示すように、医療用接続具１は、筒状のメス部材１０と、該メス部材１０に挿入されて該メス部材１０の内部に連通する筒状のオス部材２０と、オス部材２０がメス部材１０に挿入された状態でオス部材２０がメス部材１０から抜けるのを阻止するための固定部材３０とを備えている。メス部材１０、オス部材２０及び固定部材３０は、全て樹脂材を成形してなる樹脂成形品である。
【００２９】
メス部材１０は、全体として、第１管状部材１００の挿入される側（基端側）がオス部材２０の挿入される側（先端側）に比べて小径とされている。メス部材１０の基端側には、第１管状部材１００の先端側が挿入された状態で液密に接続されている。メス部材１０の内周面には、基端側寄りの部位に段部１１が形成されている。メス部材１０の基端側から挿入された第１管状部材１００の先端部が段部１１に突き当てられている。
【００３０】
メス部材１０の外周面における中心線方向中間部には、外方へ突出する一対の突出板部１２、１２が設けられている。メス部材１０の外周面における先端側には、周方向に螺旋状に延びる突条からなる雄ねじ部１４が設けられている。
【００３１】
メス部材１０の内周面における先端側には、メス側テーパー面１３が設けられている。メス側テーパー面１３は、メス部材１０の先端に向かって次第に拡径するように形成されている。
【００３２】
オス部材２０には、第２管状部材２００の先端側が挿入された状態で液密に接続されている。オス部材２０における第２管状部材２００が挿入される側が基端側であり、オス部材２０におけるメス部材１０へ挿入される側が先端側である。
【００３３】
オス部材２０の内周面には、基端側に段部２１が形成されている。第２管状部材２００は、オス部材２０の基端側から挿入され、第２管状部材２００の先端部が段部２１に突き当てられている。オス部材２０の内径は、第１管状部材１００の内径と略等しくなるように設定されている。
【００３４】
オス部材２０の外周面における先端側には、メス側テーパー面１３に嵌合するオス側テーパー面２３が設けられている。オス側テーパー面２３は、オス部材２０の先端に向かって次第に縮径するように形成されている。オス側テーパー面２３は、メス側テーパー面１３に対して中途部まで挿入された状態で全周に亘って密着し、オス側テーパー面２３とメス側テーパー面１３との間から液体が漏れないようになっている。この状態で、メス部材１０の中心線とオス部材２０の中心線とは略同一直線状に位置することになる。
【００３５】
図３及び図４に示すように、オス部材２０の外周面には、中心線方向の中間部に外方へ突出して周方向に延びる環状突出部２４が形成されている。環状突出部２４におけるオス部材２０の先端側に位置する面は、オス部材２０の先端側へ行くほど縮径するように傾斜する傾斜面２４ａで構成されている。また、環状突出部２４におけるオス部材２０の基端側に位置する面は、オス部材２０の中心線に対し直交する方向に延びる垂直面（オス側第２係合部）２４ｂで構成されている。環状突出部２４における突出方向先端面２４ｃは、傾斜面２４ａと垂直面２４ｂとを繋ぐようにオス部材２０の中心線と略平行に延びるように形成されている。
【００３６】
また、オス部材２０の外周面には、環状突出部２４からオス部材２０の基端側に離れた部位に、外方へ突出して中心線方向に延びる一対の第１突条部（オス側第１係合部）２５、２５が形成されている。これら第１突条部２５、２５は、オス部材２０の周方向に離れており、この実施形態では、オス部材２０を中心線方向から見たとき、一方の第１突条部２５と他方の第１突条部２５とがオス部材２０の中心線を対称の中心として点対称となるように配置されている。
【００３７】
各第１突条部２５は中心線に沿うように真っ直ぐに延びている。第１突条部２５の突出高さは、第１突条部２５におけるオス部材２０の基端側がその端部に近づくほど低くなるように形成されている。第１突条部２５におけるオス部材２０の先端側の突出高さは、環状突出部２４の突出高さと略同じに設定されている。
【００３８】
さらに、オス部材２０の外周面には、環状突出部２４からオス部材２０の基端側に離れた部位に、外方へ突出して周方向に延びる一対の第２突条部（第１突部）２６、２６が形成されている。第２突条部２６、２６は、第１突条部２５、２５におけるオス部材２０の先端側の端部近傍において該端部よりも基端側に位置するようになっており、第１突条部２５、２５の側面に連なってこれら突条部２５、２５を連結するように円弧状に延びている。
【００３９】
図６や図７等に示すように、固定部材３０は、オス部材２０が挿入されるリング状に形成されたナット部材である。この固定部材３０は、図２に示すように固定部材３０の中心線がメス部材１０やオス部材２０の中心線と略一致するようにして使用される。固定部材３０の中心線方向の寸法は、メス部材１０やオス部材２０の中心線方向の寸法よりも短く設定されている。
【００４０】
固定部材３０における先端側（図１、図２の右側）は、基端側（図１、図２の左側）に比べて大径となっている。固定部材３０の先端側の開口周囲には、図７に示すように面取り部３０ａが形成されている。
【００４１】
固定部材３０の内周面には、先端側の領域に雄ねじ部１４に螺合する雌ねじ部３１が形成されている。また、固定部材３０の内周面における雄ねじ部３１よりも基端側には、内方へ突出して周方向に延びる内側環状突条部３３が形成されている。内側環状突条部３３における固定部材３０の先端側に位置する先端側面３３ａは、先端側へ行くに従って固定部材３０の中心線から離れるように（拡径方向に）傾斜している。また、内側環状突条部３３における固定部材３０の基端側に位置する基端側面３３ｂは、固定部材３０の中心線に対して略垂直に延びている。
【００４２】
さらに、固定部材３０の内周面には、固定部材３０の内方へ突出する一対の突出部（第２突部）３６、３６が形成されている。突出部３６、３６は、固定部材３０の周方向に離れており、この実施形態では、固定部材３０を中心線方向から見たとき、一方の突出部３６と他方の突出部３６とが固定部材３０の中心線を対称の中心として点対称となるように配置されている。図２に示すように、各突出部３６の突出高さは、突出方向先端面がオス部材２０の外周面に近接するように設定されている。
【００４３】
突出部３６における固定部材３０の先端側に位置する面は、オス部材２０の垂直面２４ｂに対してメス部材１０への挿入方向から係合する係合面（固定部材側第２係合部）３６ａである。この係合面３６ａは、固定部材３０の中心線に対して略直交する方向に延びており、オス部材２０の垂直面２４ｂにオス部材２０の中心線方向から当接した状態で係合する。
【００４４】
突出部３６における固定部材３０の周方向両側に位置する両側面（固定部材側第１係合部）３６ｂ、３６ｂ（図６に示す）は、オス部材２０の第１突条部２５に対してオス部材２０の周方向から当接することによって該第１突条部２５に係合するようになっている（図５（ｂ）参照）。
【００４５】
また、突出部３６の突出方向先端面がオス部材２０の外周面に近接するように位置しているので、突出部３６は、オス部材２０の第２突条部２６、２６に対してオス部材２０の中心線方向から係合する。
【００４６】
また、図５（ａ）や図１１に示すように、メス部材１０の雄ねじ部１４と固定部材３０の雌ねじ部３１とが非螺合状態にあるときには、固定部材３０は、オス部材２０が挿通した状態でオス部材２０の中心線方向に移動可能になるとともに、中心線周りに自由に回転させることができるようになっている。すなわち、オス部材２０の第１突条部２５は、メス部材１０の雄ねじ部１４と固定部材３０の雌ねじ部３１とが非螺合状態となるまで固定部材３０がオス部材２０側へ移動しても、固定部材３０の突出部３６に接触しないように配置されている。これにより、雄ねじ部１４と雌ねじ部３１とが非螺合状態にあるときに固定部材３０が回転可能になる。
【００４７】
また、雄ねじ部１４と雌ねじ部３１とが非螺合状態にあるときには、オス部材２０の第２突条部２６が固定部材３０の突出部３６よりもオス部材２０の基端側に位置している。これにより、固定部材３０が第２管状部材２００へ移動しようとして固定部材３０がオス部材２０から外れそうになった場合に、固定部材３０の突出部３６が第２突条部２６に係合して固定部材３０が不用意に外れてしまうのを防止することができる。
【００４８】
次に、上記のように構成された医療用接続具１を使用して第１管状部材１００と第２管状部材２００とを接続する場合について説明する。第１管状部材１００と第２管状部材２００との接続方法としては、次の３通りがある。１つ目の接続方法は、図９に示すように固定部材３０を用いずにメス部材１０とメス部材２０とを接続する方法（第１の方法）であり、２つ目の接続方法は、図１及び図２に示すようにメス部材１０とメス部材２０とを接続して固定部材３０によって固定する方法（第２の方法）であり、３つ目の接続方法は、固定部材３０を用いずにメス部材１０とメス部材２０とを接続しておき、その後、固定部材３０でメス部材１０とメス部材２０とを固定する方法（第３の方法）である。
【００４９】
第１の方法では固定部材３０を用いないので、初めに固定部材３０を第２管状部材２００側に移動させておく。すなわち、図８（ａ）に示すように固定部材３０がオス部材２０に取り付けられた状態では、図５（ｂ）に示すように固定部材３０の突出部３６がオス部材２０の第２突条部２６よりもオス部材２０の先端側に位置しており、固定部材３０が第２管状部材２００側へ移動するのが第２突条部２６によって阻止されている。この状態から固定部材３０をオス部材２０の基端側へ向けて中心線方向に所定以上の移動力を作用させる操作（所定の操作）を行うと、突出部３６及び第２突条部２６が弾性変形することによって突出部３６が第２突条部２６を乗り越えるので、固定部材３０が図８（ｂ）に示すように第２管状部材２００側に移動してオス部材２０から外れる。突出部３６が第２突条部２６を乗り越えるのに要する力は、突出部３６及び第２突条部２６の形状、突出高さ、材質等によって設定することができ、この実施形態では、医療従事者が手で簡単にできるようになっている。
【００５０】
その後、図９に示すように、オス部材２０のオス側テーパー面２３をメス部材１０のメス側テーパー面１３に挿入して嵌合させる。これにより、固定部材３０を用いずにメス部材１０とメス部材２０とを接続することができる。
【００５１】
第２の方法では、まず、固定部材３０が取り付けられたオス部材２０とメス部材１０とを接続する。その後、固定部材３０を回転させて固定部材３０の雌ねじ部３１をメス部材１０の雄ねじ部１４に螺合させていくと、図２に示すように固定部材３０がメス部材１０側へ移動していき、固定部材３６の係合面３６ａがオス部材２０の垂直面２４ｂに対してオス部材２０への挿入方向から係合することになる。固定部材３０を更に螺合方向に回転させると、固定部材３６の係合面３６ａがオス部材２０の垂直面２４ｂをオス部材２０の挿入方向に押していき、これにより、オス側テーパー面２３がメス側テーパー面１３に深く挿入して両テーパー面１３、２３が嵌合状態になり、固定部材３０によってメス部材１０とメス部材２０とを固定することができる（ロック状態）。
【００５２】
尚、ロック状態にある固定部材３０を螺合方向とは反対側に回転させていくことで、固定部材３０がメス部材１０から外れて非螺合状態となる。これが非ロック状態である。
【００５３】
第３の方法では、まず、第１の方法のようにしてメス部材１０とメス部材２０とを接続する。このとき、図１０に示すように固定部材３０は第２管状部材２００側に位置していてオス部材２０から取り外された状態となっている。この固定部材３０を図１０の白抜きの矢印の方向に移動させる。すると、固定部材３０の突出部３６がオス部材２０の第２突条部２６に一旦係合して白抜きの矢印の方向に移動するのが阻止されるが、白抜きの矢印の方向への移動力を上述のように所定以上作用させると、突出部３６及び第２突条部２６が弾性変形することによって突出部３６が第２突条部２６を乗り越えるので、図１１に示すように固定部材３０をオス部材２０の先端側まで移動できる。そして、第２の方法と同じようにして固定部材３０を回転させて雌ねじ部３１を雄ねじ部１４に螺合させる。
【００５４】
一方、第１〜第３の方法によって接続された状態にあるメス部材１０とオス部材２０との分離作業時には固定部材３０を使用することができる。固定部材３０の雌ねじ部３１とメス部材１０の雄ねじ部１４とが螺合状態にある場合には、雌ねじ部３１と雄ねじ部１４とが非螺合状態となるように固定部材３０を回転させる（図５（ａ）に示す）。また、固定部材３０を使用しない接続方法の場合には、固定部材３０を図１１に示すように配置する。
【００５５】
そして、固定部材３０をオス部材２０の基端側へ軽く押しながら回転させると、固定部材３０の突出部３６が第１突条部２５から外れた回転位置となったときに、図５（ｂ）及び図１３に示すように固定部材３０がオス部材２０の基端側へ移動し、これにより、突出部３６が第１突条部２５の端部よりも第２突条部２６側に位置する。
【００５６】
この状態で固定部材３０を回転させると、固定部材３０の突出部３６の側面（周方向係合部）３６ｂがオス部材２０の第１突条部２５に対して周方向から当接し、第１突条部２５に係合する。これにより、固定部材３０の回転力が突出部３６及び第１突条部２５を介してオス部材２０に伝達される。このとき、メス部材１０が回らないように押さえておけば、固定部材３０の回転力によってオス部材２０がメス部材１０に対して相対的に回転し、これにより、メス側テーパー面１３とオス側テーパー面２３との固着を容易に解くことができる。固定部材３０の回転方向はどちらでもよい。固着が解ければオス側テーパー面２３をメス側テーパー面１３から容易に抜いてメス部材１０とオス部材２０とを分離できる。
【００５７】
以上説明したように、この実施形態１に係る医療用接続具１によれば、メス側テーパー面１３とオス側テーパー面２３との嵌合によってメス部材１０とオス部材２０を接続することができるので固定部材３０を用いなくても液密性を確保でき、このときに必要であれば固定部材３０を用いてロック状態で使用することもできる。また、固定部材３０をオス部材２０から外すことができるので、固定部材３０の有無に容易に対応することができる。そして、オス部材２０とメス部材１０との分離作業時には、メス部材１０の雄ねじ部１４と固定部材３０の雌ねじ部３１とを非螺合状態にして固定部材３０の突出部３６の側面３６ｂをオス部材２０の第１突条部２５に係合させて固定部材３０の回転力をオス部材２０に伝達することにより、メス側テーパー面１３とオス側テーパー面２３との固着を容易に解くことができ、分離作業性を向上できる。
【００５８】
また、第１突条部２５がオス部材２０の外周面の周方向の一部から突出しており、固定部材３０の突出部３６の側面３６ａが該固定部材３６の内周面から突出しているので、第１突条部２５を突出部３６の側面３６ａに確実に係合させることができる。これにより、メス側テーパー面１３とオス側テーパー面２３との固着を解く際に、固定部材３０の回転力をオス部材２０に確実に伝達することができる。
【００５９】
また、固定部材３０をオス部材２０の中心線方向に移動させる移動力が所定以上のときにオス部材２０の第２突条部２６及び固定部材３０の突出部３６が弾性変形して突出部３６が第２突条部２６を乗り越えるようになっているので、固定部材３０をオス部材２０から外すこと、及び取り付けることが容易にできる。
【００６０】
（実施形態２）
図１５は本発明の実施形態２に係るオス部材２０を示し、図１６は本発明の実施形態２に係る固定部材３０を示している。この実施形態２では、オス部材２０及び固定部材３０の形状が実施形態１のものとは異なっており、他の部分は実施形態１と同じである。以下、実施形態１と異なる部分について詳細に説明する。
【００６１】
すなわち、実施形態２では、オス部材２０の外周面に周方向に延びる一対の突条部２７、２７が形成されている。一方の突条部２７（図１５の上側の突条部）は、その一端部が一方の第１突条部２５（図１５の上側の第１突条部）の端部に連なり、他方の第１突条部２５（図１５の下側の第１突条部）の端部近傍まで円弧を描くように延びている。該一方の突条部２７の他端部は、他方の第１突条部２５の端部との間に隙間（図示せず）が形成されるようにオス部材２０の外周面上に位置している。また、他方の突条部２７（図１５の下側の突条部）は、その一端部が他方の第１突条部２５の端部に連なり、一方の第１突条部２５の端部近傍まで円弧を描くように延びており、該他方の突条部２７の他端部は、一方の第１突条部２５の端部との間に隙間２８が形成されるようにオス部材２０の外周面上に位置している。
【００６２】
一方、図１６に示すように、固定部材３０の内周面の基端部には、上記隙間２８に挿入される一対の突起（固定部材側第１係合部）３９、３９が内方へ突出するように形成されている。突起３９を隙間２８から第２突条部２６と突条部２７との間に入れることができ、この状態で固定部材３０を回転させると、突起３９が第１突条部２５に対して周方向から当接し、第１突条部２５に係合する。これにより、固定部材３０の回転力がオス部材２０に伝達されることになる。このものでは、実施形態１の突出部３６を省略することができる。突起３９及び第１突条部２５を弾性変形させることにより、固定部材３０をオス部材２０に取り付けたり、オス部材２０から外したりすることができる。
【００６３】
したがって、実施形態２も実施形態１と同様な作用効果を奏することができる。
【００６４】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６５】
以上説明したように、本発明に係る医療用接続具は、例えば、医療現場において輸液チューブ等を接続する際に使用することができる。
【符号の説明】
【００６６】
１            医療用接続具
１０          メス部材
１３          メス側テーパー面
１４          雄ねじ部
２０          オス部材
２３          オス側テーパー面
２４ｂ        垂直面（オス側第２係合部）
２５          第１突条部（オス側第１係合部）
２６          第２突条部（第１突部）
３０          固定部材
３１          雌ねじ部
３６          突出部（第２突部）
３６ａ        係合面（固定部材側第２係合部）
３６ｂ        側面（固定部材側第１係合部、周方向係合部）
１００        第１管状部材
２００        第２管状部材
【図１】
2015146868.tif 000003
【図２】
2015146868.tif 000004
【図３】
2015146868.tif 000005
【図４】
2015146868.tif 000006
【図５】
2015146868.tif 000007
【図６】
2015146868.tif 000008
【図７】
2015146868.tif 000009
【図８】
2015146868.tif 000010
【図９】
2015146868.tif 000011
【図１０】
2015146868.tif 000012
【図１１】
2015146868.tif 000013
【図１２】
2015146868.tif 000014
【図１３】
2015146868.tif 000015
【図１４】
2015146868.tif 000016
【図１５】
2015146868.tif 000017
【図１６】
2015146868.tif 000018